(57)【要約】【課題】入浴等の目的で利用者が居室等から脱衣室に移動した際にも脱衣室の温度が適切な温度となるように暖房し、且つ無駄な暖房を極力抑えることができる暖房システムを提供する。【解決手段】制御手段は、浴室と隣接室（脱衣室）のどちらにも人が居ない状態（無、無）から、浴室に人が居ない且つ隣接室に人が居る状態（無、有）となったことを検出した場合、且つ入浴の準備がされていないと検出した場合（場合４）には、第１目標暖房温度を目標暖房温度として、熱源機と暖房手段の少なくとも一方を制御し、浴室と隣接室のどちらにも人が居ない状態（無、無）から、浴室に人が居ない且つ隣接室に人が居る状態（無、有）となったことを検出した場合、且つ入浴の準備がされていると検出した場合（場合３）には、第１目標暖房温度よりも高い温度である第２目標暖房温度を目標暖房温度として、熱源機と暖房手段の少なくとも一方を制御する。【選択図】図２
2015098952.tif 000002
【特許請求の範囲】
【請求項１】
浴室と、前記浴室に隣接する隣接室と、のそれぞれの部屋に設けられて、それぞれの部屋内に人が居るか否かを検出可能な人体所在検出手段と、
前記隣接室内の温度を検出可能な隣接室内温度検出手段と、
前記浴室における入浴の準備がされているか否かを検出可能な入浴準備検出手段と、
前記隣接室内に設けられて当該隣接室内を暖房することが可能な暖房手段と、
少なくとも前記浴室への給湯が可能な熱源機と、
前記隣接室内温度検出手段からの検出信号に基づいて検出した前記隣接室内の温度が、目標暖房温度となるように、前記熱源機と前記暖房手段の少なくとも一方を制御する制御手段と、を備えた暖房システムであって、
前記制御手段は、
前記人体所在検出手段からの検出信号に基づいて、前記浴室と前記隣接室のそれぞれの部屋内に人が居るか否かを検出し、
前記浴室と前記隣接室のどちらにも人が居ない状態から、前記浴室に人が居ない且つ前記隣接室に人が居る状態となったことを検出した場合、且つ前記入浴準備検出手段からの検出信号に基づいて入浴の準備がされていないと検出した場合には、第１目標暖房温度を前記目標暖房温度として、前記熱源機と前記暖房手段の少なくとも一方を制御し、
前記浴室と前記隣接室のどちらにも人が居ない状態から、前記浴室に人が居ない且つ前記隣接室に人が居る状態となったことを検出した場合、且つ前記入浴準備検出手段からの検出信号に基づいて入浴の準備がされていると検出した場合には、前記第１目標暖房温度よりも高い温度である第２目標暖房温度を前記目標暖房温度として、前記熱源機と前記暖房手段の少なくとも一方を制御する、
暖房システム。
【請求項２】
請求項１に記載の暖房システムであって、
前記浴室において実際に人が入浴したか否かを検出可能な入浴実行検出手段、あるいは前記浴室において実際に人がシャワーまたは水栓を利用したか否かを検出可能なシャワー実行検出手段、の少なくとも一方を備え、
前記制御手段は、
前記隣接室の人の有無にかかわらず前記浴室に人が居ると検出した場合、且つ前記入浴実行検出手段または前記シャワー実行検出手段の少なくとも一方の検出信号に基づいて前記浴室内の人が、実際に入浴した、あるいは実際にシャワーまたは水栓を利用した、と検出した場合には、前記隣接室の人の有無にかかわらず前記浴室に人が居ると検出した場合、且つ前記浴室内の人が、実際に入浴していない、且つ実際にシャワーも水栓も利用していない、と検出した場合における目標暖房温度よりも高い温度であって前記第２目標暖房温度よりも高い温度である第３目標暖房温度を目標暖房温度として、前記熱源機と前記暖房手段の少なくとも一方を制御する、
暖房システム。
【請求項３】
請求項２に記載の暖房システムであって、
前記制御手段は、
前記隣接室の人の有無にかかわらず前記浴室に人が居た状態から、前記浴室に人が居ない且つ前記隣接室に人が居ると検出した場合、且つ前記入浴実行検出手段または前記シャワー実行検出手段の少なくとも一方の検出信号に基づいて前記浴室に居た人が実際に入浴した、あるいは実際にシャワーまたは水栓を利用した、と検出した場合には、前記隣接室の人の有無にかかわらず前記浴室に人が居た状態から、前記浴室に人が居ない且つ前記隣接室に人が居ると検出した場合、且つ前記浴室に居た人が入浴していない、且つシャワーも水栓も利用していない、と検出した場合における目標暖房温度よりも高い温度であって前記第３目標暖房温度よりも高い温度である第４目標暖房温度を目標暖房温度として、前記熱源機と前記暖房手段の少なくとも一方を制御する、
暖房システム。
【請求項４】
請求項３に記載の暖房システムであって、
前記制御手段は、
前記浴室に人が居ない且つ前記隣接室に人が居ると検出した場合、且つ目標暖房温度を前記第４目標暖房温度とした後、第１所定時間に達するまでの間は、前記第４目標暖房温度を目標暖房温度として、前記熱源機と前記暖房手段の少なくとも一方を制御する、
暖房システム。
【請求項５】
請求項４に記載の暖房システムであって、
前記制御手段は、
前記浴室に人が居ない且つ前記隣接室に人が居ると検出した場合、且つ目標暖房温度を前記第４目標暖房温度とした後、前記第１所定時間を経過して第２所定時間に達するまでの間は、前記第２目標暖房温度を目標暖房温度として、前記熱源機と前記暖房手段の少なくとも一方を制御する、
暖房システム。
【請求項６】
請求項５に記載の暖房システムであって、
前記制御手段は、
前記浴室に人が居ない且つ前記隣接室に人が居ると検出した場合、且つ目標暖房温度を前記第２目標暖房温度とした後、前記第２所定時間を経過した場合は、前記第１目標暖房温度を目標暖房温度として、前記熱源機と前記暖房手段の少なくとも一方を制御する、
暖房システム。
【請求項７】
請求項１〜６のいずれか一項に記載の暖房システムであって、
前記人体所在検出手段は、所定範囲内における人の所在の有無を検出可能な人感センサである、
暖房システム。
【請求項８】
請求項１〜７のいずれか一項に記載の暖房システムであって、
前記入浴準備検出手段は、前記浴室内に設けられた浴槽内に張られた湯の水位あるいは水圧を検出可能な浴槽内湯張検出手段である、
暖房システム。
【請求項９】
請求項２〜６のいずれか一項に記載の暖房システムであって、
前記入浴実行検出手段は、前記浴室内に設けられた浴槽内に張られた湯の水位あるいは水圧を検出可能な浴槽内湯張検出手段である、
暖房システム。
【請求項１０】
請求項２〜６のいずれか一項に記載の暖房システムであって、
前記シャワー実行検出手段は、前記浴室内に設けられたシャワーまたは水栓から吐出された湯または水の流量を検出可能な浴室内水栓流量検出手段である、
暖房システム。
【発明の詳細な説明】
【技術分野】
【０００１】
本発明は、暖房システムに関する。
【背景技術】
【０００２】
高齢者等は、急激な温度変化にさらされると、血圧の急上昇や急降下等が発生して健康を損なう場合がある。特に冷間時期では、快適な暖房温度の居間からトイレや入浴等の目的で居間から別の部屋へと移動した際、急激な温度変化にさらされる場合があるので注意が必要である。全ての部屋の空調を行えば、人がどのように移動しても急激な温度変化が発生しないようにすることができるが、人が居ないにもかかわらず全ての部屋の空調を行うのは無駄が多く現実的でない。
そこで、例えば特許文献１では、浴室と居間との間にある脱衣室の温度調整を行う空調装置において、人が入浴中では脱衣室の温度が浴室温度近辺となるように脱衣室の空調を行い、人が入浴を終えて脱衣室に入った場合は脱衣室の温度を徐々に居室の温度に近づけるように脱衣室の空調を行う空調装置が記載されている。
また特許文献２では、風呂の注湯（湯張り）または風呂の追い焚き運転の開始と同時に浴室または脱衣室の暖房運転を自動的に行い、利用者が暖房運転の操作をしなくても自動的に脱衣室等を暖房することができる、浴室又は脱衣室暖房装置の運転制御方法及びその装置が記載されている。
【先行技術文献】
【特許文献】
【０００３】
【特許文献１】特開平８−１４６２３号公報
【特許文献２】特開平１０−５４５７４号公報
【発明の概要】
【発明が解決しようとする課題】
【０００４】
特許文献１では、利用者が入浴の目的で居室から脱衣室に移動した際では、脱衣室の温度が適切に制御されていないので、入浴のために脱衣した利用者は急激な温度変化にさらされる場合があり、好ましくない。
また特許文献２では、風呂の湯張り時や追い焚き時に脱衣室の暖房運転を行っているため、利用者が入浴の目的で居室から脱衣室に移動した際、既に脱衣室が暖房されている状態とすることができる。しかし、実際に利用者が脱衣室に居るか否かを判定していないので、無駄な暖房が多くなる可能性がある。
本発明は、このような点に鑑みて創案されたものであり、入浴等の目的で利用者が居室等から脱衣室に移動した際にも脱衣室の温度が適切な温度となるように暖房し、且つ無駄な暖房を極力抑えることができる暖房システムを提供することを課題とする。
【課題を解決するための手段】
【０００５】
上記課題を解決するため、本発明に係る暖房システムは次の手段をとる。
まず、本発明の第１の発明は、浴室と、前記浴室に隣接する隣接室と、のそれぞれの部屋に設けられて、それぞれの部屋内に人が居るか否かを検出可能な人体所在検出手段と、前記隣接室内の温度を検出可能な隣接室内温度検出手段と、前記浴室における入浴の準備がされているか否かを検出可能な入浴準備検出手段と、前記隣接室内に設けられて当該隣接室内を暖房することが可能な暖房手段と、少なくとも前記浴室への給湯が可能な熱源機と、前記隣接室内温度検出手段からの検出信号に基づいて検出した前記隣接室内の温度が、目標暖房温度となるように、前記熱源機と前記暖房手段の少なくとも一方を制御する制御手段と、を備えた暖房システムである。
そして前記制御手段は、前記人体所在検出手段からの検出信号に基づいて、前記浴室と前記隣接室のそれぞれの部屋内に人が居るか否かを検出し、前記浴室と前記隣接室のどちらにも人が居ない状態から、前記浴室に人が居ない且つ前記隣接室に人が居る状態となったことを検出した場合、且つ前記入浴準備検出手段からの検出信号に基づいて入浴の準備がされていないと検出した場合には、第１目標暖房温度を前記目標暖房温度として、前記熱源機と前記暖房手段の少なくとも一方を制御し、前記浴室と前記隣接室のどちらにも人が居ない状態から、前記浴室に人が居ない且つ前記隣接室に人が居る状態となったことを検出した場合、且つ前記入浴準備検出手段からの検出信号に基づいて入浴の準備がされていると検出した場合には、前記第１目標暖房温度よりも高い温度である第２目標暖房温度を前記目標暖房温度として、前記熱源機と前記暖房手段の少なくとも一方を制御する。
【０００６】
この第１の発明では、浴室及び隣接室（脱衣室等）のどちらにも利用者が居ない状態から、隣接室に利用者が入ってきた場合、利用者が非入浴目的（入浴以外の目的）で入ってきた場合は第１目標暖房温度で隣接室を暖房し、利用者が入浴目的で入ってきた場合は第２目標暖房温度（＞第１目標暖房温度）で隣接室を暖房する。
これにより、利用者が居室等から隣接室（脱衣室等）に移動した際、隣接室の温度を適切な温度に制御することができるので、利用者が急激な温度変化にさらされることを防止することができる。
また、利用者が脱衣する入浴目的の場合はより高い第２目標暖房温度となるように隣接室を暖房し、利用者が着衣したまま脱衣しない非入浴目的の場合はより低い第１目標暖房温度となるように隣接室を暖房するので、無駄な暖房を抑えることができる。
【０００７】
次に、本発明の第２の発明は、上記第１の発明に係る暖房システムであって、前記浴室において実際に人が入浴したか否かを検出可能な入浴実行検出手段、あるいは前記浴室において実際に人がシャワーまたは水栓を利用したか否かを検出可能なシャワー実行検出手段、の少なくとも一方を備える。
そして前記制御手段は、前記隣接室の人の有無にかかわらず前記浴室に人が居ると検出した場合、且つ前記入浴実行検出手段または前記シャワー実行検出手段の少なくとも一方の検出信号に基づいて前記浴室内の人が、実際に入浴した、あるいは実際にシャワーまたは水栓を利用した、と検出した場合には、前記隣接室の人の有無にかかわらず前記浴室に人が居ると検出した場合、且つ前記浴室内の人が、実際に入浴していない、且つ実際にシャワーも水栓も利用していない、と検出した場合における目標暖房温度よりも高い温度であって前記第２目標暖房温度よりも高い温度である第３目標暖房温度を目標暖房温度として、前記熱源機と前記暖房手段の少なくとも一方を制御する。
【０００８】
この第２の発明によれば、利用者が浴室に入り、実際に入浴した、あるいはシャワーまたは水栓を利用した場合、隣接室を第３目標暖房温度（＞第２目標暖房温度）となるように暖房する。
これにより、利用者が実際に入浴している場合、湯上がり時に備えて隣接室の温度を適切な温度にしておくことができるので、利用者が急激な温度変化にさらされることを防止することができる。
【０００９】
次に、本発明の第３の発明は、上記第２の発明に係る暖房システムであって、前記制御手段は、前記隣接室の人の有無にかかわらず前記浴室に人が居た状態から、前記浴室に人が居ない且つ前記隣接室に人が居ると検出した場合、且つ前記入浴実行検出手段または前記シャワー実行検出手段の少なくとも一方の検出信号に基づいて前記浴室に居た人が実際に入浴した、あるいは実際にシャワーまたは水栓を利用した、と検出した場合には、前記隣接室の人の有無にかかわらず前記浴室に人が居た状態から、前記浴室に人が居ない且つ前記隣接室に人が居ると検出した場合、且つ前記浴室に居た人が入浴していない、且つシャワーも水栓も利用していない、と検出した場合における目標暖房温度よりも高い温度であって前記第３目標暖房温度よりも高い温度である第４目標暖房温度を目標暖房温度として、前記熱源機と前記暖房手段の少なくとも一方を制御する。
【００１０】
この第３の発明によれば、利用者が浴室で実際に入浴した、あるいはシャワーまたは水栓を利用した後、利用者が浴室から隣接室に移動した場合（すなわち、湯上がり時）、隣接室を第４目標暖房温度（＞第３目標暖房温度）となるように暖房する。
これにより、利用者が湯上がり直後において急激な温度変化にさらされることを防止することができる。
【００１１】
次に、本発明の第４の発明は、上記第３の発明に係る暖房システムであって、前記制御手段は、前記浴室に人が居ない且つ前記隣接室に人が居ると検出した場合、且つ目標暖房温度を前記第４目標暖房温度とした後、第１所定時間に達するまでの間は、前記第４目標暖房温度を目標暖房温度として、前記熱源機と前記暖房手段の少なくとも一方を制御する。
【００１２】
この第４の発明によれば、第３の発明による第４目標暖房温度の暖房を、第１所定時間の間、維持する。
これにより、湯上がりした利用者が、体を拭き終わるまでの時間であって体が濡れている状態において、隣接室を適切な温度に維持しておくことができる。
【００１３】
次に、本発明の第５の発明は、上記第４の発明に係る暖房システムであって、前記制御手段は、前記浴室に人が居ない且つ前記隣接室に人が居ると検出した場合、且つ目標暖房温度を前記第４目標暖房温度とした後、前記第１所定時間を経過して第２所定時間に達するまでの間は、前記第２目標暖房温度を目標暖房温度として、前記熱源機と前記暖房手段の少なくとも一方を制御する。
【００１４】
この第５の発明によれば、第４の発明による第１所定時間が経過した後、さらに第２所定時間に達するまでの間は、隣接室を第２目標暖房温度で暖房する。
これにより、湯上がりした利用者が、体を拭き終わって着衣している間において、隣接室を適切な温度に維持しておくことができる。
【００１５】
次に、本発明の第６の発明は、上記第５の発明に係る暖房システムであって、前記制御手段は、前記浴室に人が居ない且つ前記隣接室に人が居ると検出した場合、且つ目標暖房温度を前記第２目標暖房温度とした後、前記第２所定時間を経過した場合は、前記第１目標暖房温度を目標暖房温度として、前記熱源機と前記暖房手段の少なくとも一方を制御する。
【００１６】
この第６の発明によれば、第５の発明による第２所定時間が経過した後、隣接室を第１目標暖房温度で暖房する。
これにより、湯上がりした利用者の着衣後において、隣接室を適切な温度にすることができる。
【００１７】
次に、本発明の第７の発明は、上記第１の発明〜第６の発明のいずれか１つに係る暖房システムであって、前記人体所在検出手段は、所定範囲内における人の所在の有無を検出可能な人感センサである。
【００１８】
この第７の発明によれば、部屋内に利用者が居るか否かを、具体的に、且つ適切に判定することができる。
【００１９】
次に、本発明の第８の発明は、上記第１の発明〜第７の発明のいずれか１つに係る暖房システムであって、前記入浴準備検出手段は、前記浴室内に設けられた浴槽内に張られた湯の水位あるいは水圧を検出可能な浴槽内湯張検出手段である。
【００２０】
この第８の発明によれば、入浴の準備がされているか否かを、具体的に、且つ適切に判定することができる。
【００２１】
次に、本発明の第９の発明は、上記第２の発明〜第６の発明のいずれか１つに係る暖房システムであって、前記入浴実行検出手段は、前記浴室内に設けられた浴槽内に張られた湯の水位あるいは水圧を検出可能な浴槽内湯張検出手段である。
【００２２】
この第９の発明によれば、入浴が行われた（利用者が湯船に浸かった）か否かを、具体的に、且つ適切に判定することができる。また、入浴準備検出手段と兼用することができるので、暖房システムをよりシンプルに、且つより低コストにすることができる。
【００２３】
次に、本発明の第１０の発明は、上記第２の発明〜第６の発明のいずれか１つに係る暖房システムであって、前記入浴実行検出手段は、前記浴室内に設けられた浴槽内に張られた湯の水位あるいは水圧を検出可能な浴槽内湯張検出手段である。
【００２４】
この第１０の発明によれば、利用者がシャワーを利用したか否か、または水栓を利用したか否か、を具体的に、且つ適切に判定することができる。
【図面の簡単な説明】
【００２５】
【図１】本発明の暖房システムの全体構成の例を説明する図である。
【図２】浴室における利用者の有無、及び隣接室（脱衣室等）における利用者の有無、等に応じた隣接室の暖房温度を切替える、場合分けを示す図である。
【図３】図２に示した場合分けに基づいた、制御手段の処理手順の例を説明するフローチャートである。
【図４】前回の在室状態（浴室の在室状態、隣接室（脱衣室）の在室状態）、及び今回の在室状態（浴室の在室状態、隣接室（脱衣室）の在室状態）を取得する処理手順の例を説明するフローチャートである。
【図５】図２における場合分けにおいて、場合２の状態を説明する図である。
【図６】図２における場合分けにおいて、場合４の状態を説明する図である。
【図７】図２における場合分けにおいて、場合１５の状態を説明する図である。
【図８】図２における場合分けにおいて、場合１の状態を説明する図である。
【図９】図２における場合分けにおいて、場合３の状態を説明する図である。
【図１０】図２における場合分けにおいて、場合１４の状態を説明する図である。
【図１１】図２における場合分けにおいて、場合９の状態を説明する図である。
【図１２】図２における場合分けにおいて、場合１０の状態を説明する図である。
【図１３】図２における場合分けにおいて、場合１１の状態を説明する図である。
【図１４】図２における場合分けにおいて、場合１６の状態を説明する図である。
【図１５】図２における場合分けにおいて、場合７の状態を説明する図である。
【発明を実施するための形態】
【００２６】
以下に本発明を実施するための形態を図面を用いて説明する。
●［暖房システム１の全体構成（図１）］
図１は、浴室３と、当該浴室３に隣接する隣接室２を示している。なお隣接室２は、脱衣室、サニタリ、洗面室等、当該部屋の目的や機能等に応じて種々の呼び名があるが、隣接室２は、浴室３に隣接している部屋であって浴室３に入るために必ず通過する部屋である。以下では、理解しやすくするために、隣接室２を脱衣室２と記載する。
浴室３と脱衣室２との間には利用者が出入りするための扉３Ｄが設けられており、脱衣室２には利用者が廊下や他の部屋から脱衣室２に出入りするための扉２Ｄが設けられている。
また浴室３には、浴室暖房乾燥機６０、浴槽３０、水栓４０、シャワー５０等が設けられており、脱衣室２には、暖房手段２０が設けられている。そして戸外には熱源機１０が設けられている。
【００２７】
浴室暖房乾燥機６０は、往配管６０Ａと戻配管６０Ｂにて熱源機１０と接続されている。そして浴室暖房乾燥機６０には、熱源機１０から往配管６０Ａを介して加熱された熱媒（この場合、温水）が供給され、戻配管６０Ｂを介して熱媒が熱源機１０に戻される。
浴槽３０は、往配管３０Ａと戻配管３０Ｂ、及び往配管４０Ａから分岐した往配管４０ＡＡにて熱源機１０と接続されている。そして湯張りの場合、浴槽３０には往配管４０ＡＡを介して加熱された温水が供給される。また追い焚きの場合、往配管３０Ａ及び戻配管３０Ｂにて熱源機１０との間で温水を循環させ、循環している温水を熱源機１０で加熱する。
水栓４０には、往配管４０Ａにて熱源機１０と接続され、上水が供給される配管４０Ｃが接続されている。利用者は、水栓４０を操作することで、熱源機１０からの温水と上水とを混合した混合水をカランから吐出したりシャワー５０から吐出したりすることができる。なお、水栓４０は混合水栓であっても、温水と上水を別々に調整する２バルブ式の水栓であってもよい。
【００２８】
暖房手段２０は、往配管２０Ａと戻配管２０Ｂにて熱源機１０と接続されている。そして暖房手段２０には、熱源機１０から往配管２０Ａを介して加熱された熱媒が供給され、戻配管２０Ｂを介して熱媒が熱源機１０に戻され、脱衣室２内の暖房を行う。なお、暖房手段２０は、温水を用いた暖房手段に限定されず、電気、ガス、灯油等で暖房を行う暖房手段であってもよい。
熱源機１０には、上記の各配管（２０Ａ、２０Ｂ、３０Ａ、３０Ｂ、４０Ａ、６０Ａ、６０Ｂ）が接続され、上水が供給される配管１０Ｃが接続されている。そして熱源機１０は、ガス、灯油、電気等にて駆動されて熱媒（この場合、温水）を加熱し、加熱した熱媒を浴槽３０、暖房手段２０、水栓４０、浴室暖房乾燥機６０等に供給する。
【００２９】
暖房システム１は、熱源機１０、暖房手段２０、隣接室内温度検出手段７２Ａ、人体所在検出手段７１Ａ、７１Ｂ、浴槽内湯張検出手段７３Ａ（入浴準備検出手段及び入浴実行検出手段に相当）、浴室内水栓流量検出手段７３Ｂ（シャワー実行検出手段に相当）、制御手段１１等にて構成されている。
熱源機１０は、上述したように、少なくとも浴室２への給湯が可能であり、制御手段１１にて制御される。
暖房手段２０（例えば暖房装置）は、脱衣室２内に設けられて、上述したように、脱衣室２内の暖房を行うことが可能であり、制御手段１１にて制御される。
隣接室内温度検出手段７２Ａ（例えば温度センサ）は、脱衣室２内の温度を検出して検出信号を制御手段１１に出力する。
浴室３内に設けられた人体所在検出手段７１Ｂは、浴室３内に利用者が居るか否かを検出可能な検出信号を制御手段１１に出力する。
脱衣室２内に設けられた人体所在検出手段７１Ａは、脱衣室２内に利用者が居るか否かを検出可能な検出信号を制御手段１１に出力する。
例えば、人体所在検出手段７１Ａ、７１Ｂは、所定範囲内における人の所在の有無を検出可能な人感センサである。
【００３０】
浴槽内湯張検出手段７３Ａ（例えば圧力（水圧）センサまたは水位センサ）は、例えば浴槽３０内に張られた湯の圧力または水位を検出可能であり、浴槽３０内に張られた湯の量や、浴槽３０内に利用者が浸かっているか否か、等を検出可能な検出信号を制御手段１１に出力する。なお制御手段１１は、図示省略した温度検出手段によって、浴槽３０内に張られている湯の温度を検出することも可能である（追い焚き等を行うために使用する）。
制御手段１１は、浴槽内湯張検出手段７３Ａからの検出信号に基づいた圧力や水位により、湯張りがされているか否か（入浴の準備がされているか否か）を検出することが可能である。従って、浴槽内湯張検出手段７３Ａは、入浴準備検出手段として使用することが可能である。
また制御手段１１は、浴槽内湯張検出手段７３Ａからの検出信号に基づいた圧力や水位により、利用者が湯船に浸かっているか否か（利用者が実際に入浴したか否か）を検出することが可能である。従って、浴槽内湯張検出手段７３Ａは、入浴実行検出手段として使用することが可能である。
浴室内水栓流量検出手段７３Ｂ（例えば流量センサ）は、水栓４０やシャワー５０から吐出された温水の有無や吐出された温水の量を検出可能な検出信号を制御手段１１に出力する。
制御手段１１は、浴室内水栓流量検出手段７３Ｂからの検出信号に基づいた流量により、シャワーまたは水栓が利用されているか否か（利用者が実際にシャワーまたは水栓を利用したか否か）を検出することが可能である。従って、浴室内水栓流量検出手段７３Ｂは、シャワー実行検出手段として使用することが可能である。
【００３１】
また外気温度検出手段７２Ｂ（外気温度センサ）は、外気温度を検出可能な検出信号を制御手段１１に出力する。
制御手段１１（制御装置）は、人体所在検出手段７１Ａ、７１Ｂ、隣接室内温度検出手段７２Ａ、浴槽内湯張検出手段７３Ａ、浴室内水栓流量検出手段７３Ｂ、外気温度検出手段７２Ｂからの検出信号や、熱源機１０の動作状態等を取り込み、熱源機１０や暖房手段２０を制御する。
なお制御手段１１の配置位置は、熱源機１０内に限定されず、どこに配置されていてもよい。
また制御手段１１は、隣接室内温度検出手段７２Ａからの検出信号に基づいて検出した脱衣室２（隣接室）内の温度が、目標暖房温度となるように、熱源機１０と暖房手段２０の少なくとも一方を制御することで、脱衣室２の暖房を行う。
【００３２】
以上の構成を用いて、浴室３における利用者の有無、及び脱衣室２における利用者の有無、及び利用者の状態（入浴目的で入室、湯上がり直後等）を推定して、脱衣室２内の温度が適切な温度となるように暖房し、且つ無駄な暖房を極力抑えることができる、暖房システム１における制御手段１１の処理手順の例について説明する。
【００３３】
●［浴室における利用者の有無、及び隣接室（脱衣室等）における利用者の有無、等に応じた場合分けと、制御手段の処理手順（図２〜図４）］
図３に示すフローチャートによる処理手順を説明する前に、図２に、浴室３における利用者の有無、及び脱衣室２における利用者の有無、及び（推定した）利用者の状態（入浴目的で入室、湯上がり直後等）に応じた、各場合分けを示す。
図２に示す場合分けの例では、浴室３における利用者（人）の有無、及び脱衣室２における利用者（人）の有無、湯張り状態・入浴やシャワーの利用履歴等に応じて、「場合１」〜「場合１７」の１７通りの場合を想定している。
図３に示すフローチャートは、図２に示す１７通りの場合分けに基づいたフローチャートである。
以下、図３のフローチャートに示す処理手順を説明しながら、図２に示す場合分けを説明する。
【００３４】
なお以下の説明において、「湯張りあり」の判定は、例えば、図１中における浴槽内湯張検出手段７３Ａからの検出信号に基づいた、圧力（すなわち、湯の量）が第１所定圧力以上である場合あるいは水位が第１所定水位以上である場合に、「湯張りあり」と判定する。
また、「風呂利用あり」の判定は、例えば、図１中における浴槽内湯張検出手段７３Ａによる、圧力が第２所定圧力（＞第１所定圧力）以上である場合あるいは水位が第２所定水位（＞第１所定水位）である場合、または図１中における浴室内水栓流量検出手段７３Ｂを用いて検出した湯または水の流量が所定流量以上である場合に、「風呂利用あり」と判定する。
また「タイマ」は、利用者が浴室で入浴後、脱衣室に移動してからの経過時間（利用者の湯上がり後の経過時間）を計測するものであり、「履歴フラグ」は、浴室内の利用者が「風呂利用あり」と判定された履歴を表すものである。
【００３５】
例えば所定時間間隔（例えば１秒毎）で、図３に示す処理が起動される。なお、図３に示す処理は、例えば、外気温度検出手段７２Ｂを用いて検出した外気温度が所定温度以下（例えば１５℃以下）の場合等で実行されるようにしてもよい。
処理が起動されると、制御手段１１は、ステップＳＢ００にて、前回の在室状態（浴室、脱衣室）を更新し、現在の在室状態（浴室、脱衣室）を更新し、ステップＳ２０に進む。また、ステップＳＢ００の処理の例の詳細を図４のフローチャートに示す。
なお以降では、浴室と脱衣室のどちらにも利用者が居ないと検出した場合、在室状態（浴室、脱衣室）＝（無、無）と記載し、浴室に利用者が居らず脱衣室に利用者が居ると検出した場合、在室状態（浴室、脱衣室）＝（無、有）と記載し、浴室に利用者が居り脱衣室に利用者が居ないと検出した場合、在室状態（浴室、脱衣室）＝（有、無）と記載し、浴室と脱衣室のどちらにも利用者が居ると検出した場合、在室状態（浴室、脱衣室）＝（有、有）と記載する。また、浴室に利用者が居ると検出した場合、その人数は単数でも複数でもよく、同様に脱衣室に利用者が居ると検出した場合、その人数は単数でも複数でもよい（単数または複数に関係なく、「居る」か「居ない」か、を検出する）。
【００３６】
図４に示すフローチャートにおいて制御手段１１は、ステップＳＢ０１にて、今回の処理にて更新する前の在室状態（浴室、脱衣室）（すなわち、前回の処理時に更新した在室状態）を、前回の在室状態（浴室、脱衣室）にコピーして、ステップＳＢ０２に進む。
ステップＳＢ０２にて制御手段１１は、浴室３内の人体所在検出手段７１Ｂからの検出信号を取得し、脱衣室２内の人体所在検出手段７１Ａからの検出信号を取得し、ステップＳＢ０３に進む。
ステップＳＢ０３にて制御手段１１は、ステップＳＢ０２にて取得した検出信号に基づいて、浴室と脱衣室の双方に人体（利用者）が検出されたか否かを判定する。浴室と脱衣室の「双方で人体有り」と検出された場合（Ｙｅｓ）はステップＳＢ０５に進み、そうでない場合（Ｎｏ）はステップＳＢ０４に進む。この処理は、偶然、図１に示す扉３Ｄの位置に利用者が居る場合、同一の人体に対して、人体所在検出手段７１Ａと人体所在検出手段７１Ｂの双方で「人体有り」と検出してしまった場合を修正するために行う。
ステップＳＢ０４に進んだ場合、制御手段１１は、ステップＳＢ０２にて取得した検出信号に基づいて、浴室と脱衣室の双方に人体（利用者）が検出されなかったか否かを判定する。浴室と脱衣室の「双方で人体無し」と検出された場合（Ｙｅｓ）はステップＳＢ０５に進み、そうでない場合（Ｎｏ）はステップＳＢ０７に進む。この処理は、偶然、図１に示す扉３Ｄの位置に利用者が居る場合、同一の人体に対して、人体所在検出手段７１Ａと人体所在検出手段７１Ｂの双方で「人体無し」と検出してしまった場合を修正するために行う。
【００３７】
ステップＳＢ０５に進んだ場合、制御手段１１は、再確認用の待ち時間（例えば０．５秒）が経過したか否かを判定する。偶然にも扉３Ｄの位置に居た人は、０．５秒もあれば、浴室または脱衣室のいずれかに移動が終了するものと期待できる。待ち時間が経過した場合（Ｙｅｓ）はステップＳＢ０６に進み、そうでない場合（Ｎｏ）はステップＳＢ０５に戻る。
ステップＳＢ０６に進んだ場合、制御手段１１は、再度、浴室３内の人体所在検出手段７１Ｂからの検出信号を取得し、脱衣室２内の人体所在検出手段７１Ａからの検出信号を取得し、ステップＳＢ０７に進む。
そしてステップＳＢ０７にて制御手段１１は、取得した検出信号に基づいて、現在の在室状態（浴室、脱衣室）を更新し、リターンする（図３のステップＳ２０へ戻る）。
【００３８】
●［図２中の「場合１」、「場合２」の判定と暖房温度］
そして図３のステップＳ２０にて制御手段１１は、「現在の」在室状態（浴室、脱衣室）が（無、無）である（現在、浴室と脱衣室のどちらにも人が居ない）か否かを判定する。「現在の」在室状態が（無、無）である場合（Ｙｅｓ）はステップＳ２２に進み、「現在の」在室状態が（無、無）でない場合（Ｎｏ）はステップＳ３０に進む。
ステップＳ２２に進んだ場合、制御手段１１は、タイマをリセットし、履歴フラグをクリアしてステップＳ２４に進む。なお「タイマ」及び「履歴フラグ」は前述したとおりのものであり、以降のステップＳ６４等にて使用される。
ステップＳ２４にて制御手段１１は、湯張りされているか否かを判定する。湯張りされている場合（Ｙｅｓ）はステップＳ９０Ｂに進み、湯張りされていない場合（Ｎｏ）はステップＳ９０Ａに進む。
【００３９】
なお、ステップＳ２４の判定による（Ｙｅｓ）の経路が図２中の「場合１」に相当し、このときの状態を図８に示す。
そしてステップＳ９０Ｂにて制御手段１１は、例えば脱衣室２の目標暖房温度を１７℃（第１目標暖房温度に相当）に設定して脱衣室２を暖房し、処理を終了する。湯張りしているので、やがて利用者が入浴目的で脱衣室に入室してくる可能性が高いと推定できるので、第１目標暖房温度で待機する。
また、ステップＳ２４の判定による（Ｎｏ）の経路が図２中の「場合２」に相当し、このときの状態を図５に示す。
そしてステップＳ９０Ａにて制御手段１１は、例えば脱衣室２の目標暖房温度を１７℃（待機時目標暖房温度）に設定して脱衣室２を暖房し、処理を終了する。なお、待機時目標暖房温度で暖房せずに、暖房運転を停止するようにしてもよい。湯張りしていないので、利用者がやがて脱衣室に入室してくる可能性は低いと推定できるので、暖房を停止してもよいし、第１目標暖房温度よりも低い温度（例えば１５℃）で待機するようにしてもよい。
【００４０】
●［図２中の「場合１４」、「場合１５」の判定と暖房温度］
ステップＳ３０に進んだ場合、制御手段１１は、「現在の」在室状態（浴室、脱衣室）が（有、無）である（現在、浴室のみに人が居る）か否かを判定する。「現在の」在室状態が（有、無）である場合（Ｙｅｓ）はステップＳ３２に進み、「現在の」在室状態が（有、無）でない場合（Ｎｏ）はステップＳ４０に進む。
ステップＳ３２に進んだ場合、制御手段１１は、タイマをリセットし、ステップＳ３４に進む。なお「タイマ」は前述したとおりのものであり、以降のステップＳ６４等にて使用される。
ステップＳ３４にて制御手段１１は、条件１が成立しているか否かを判定する。なお条件１とは、「履歴フラグのセット」を行うか否かを判定するための「風呂利用あり」か否かである。条件１が成立している場合（Ｙｅｓ）はステップＳ３６に進んで履歴フラグをセットした後にステップＳ３８に進み、条件１が成立していない場合（Ｎｏ）はステップＳ３８に進む。
そしてステップＳ３８にて制御手段１１は、履歴フラグがセットされているか否かを判定する。履歴フラグがセットされている場合（Ｙｅｓ）はステップＳ９０Ｄに進み、履歴フラグがセットされていない場合（Ｎｏ）はステップＳ９０Ｂに進む。
【００４１】
なお、ステップＳ３８の判定による（Ｙｅｓ）の経路が図２中の「場合１４」に相当し、このときの状態を図１０に示す。
そしてステップＳ９０Ｄに進んだ場合、制御手段１１は、例えば脱衣室２の目標暖房温度を２５℃（第３目標暖房温度に相当）に設定して脱衣室２を暖房し、処理を終了する。浴室内の利用者が実際に入浴した（湯船に浸かった、またはシャワーを利用した）ので、当該利用者の湯上がり時に備えて、充分な温度（第３目標暖房温度）で脱衣室を暖房しておく。なお、この場合は脱衣室に利用者が居ないので、暖房時の送風も行い、脱衣室２内の空気を強制的に循環させて脱衣室２内の温度が均一となるように暖房することが好ましい。
また、ステップＳ３８の判定による（Ｎｏ）の経路が図２中の「場合１５」に相当し、このときの状態を図７に示す。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。
【００４２】
●［図２中の「場合１６」、「場合１７」の判定と暖房温度］
ステップＳ４０に進んだ場合、制御手段１１は、「現在の」在室状態（浴室、脱衣室）が（有、有）である（現在、浴室と脱衣室の双方に人が居る）か否かを判定する。「現在の」在室状態が（有、有）である場合（Ｙｅｓ）はステップＳ４２に進み、「現在の」在室状態が（有、有）でない場合（Ｎｏ）はステップＳ５０に進む。
ステップＳ４２に進んだ場合、制御手段１１は、タイマをリセットし、ステップＳ４４に進む。なお「タイマ」は前述したとおりのものであり、以降のステップＳ６４等にて使用される。
ステップＳ４４にて制御手段１１は、条件２が成立しているか否かを判定する。なお条件２とは、「履歴フラグのセット」を行うか否かを判定するための「風呂利用あり」か否かである。条件２が成立している場合（Ｙｅｓ）はステップＳ４６に進んで履歴フラグをセットした後にステップＳ４８に進み、条件２が成立していない場合（Ｎｏ）はステップＳ４８に進む。
そしてステップＳ４８にて制御手段１１は、履歴フラグがセットされているか否かを判定する。履歴フラグがセットされている場合（Ｙｅｓ）はステップＳ９０Ｄに進み、履歴フラグがセットされていない場合（Ｎｏ）はステップＳ９０Ｂに進む。
【００４３】
なお、ステップＳ４８の判定による（Ｙｅｓ）の経路が図２中の「場合１６」に相当し、このときの状態を図１４に示す。
そしてステップＳ９０Ｄに進んだ場合、制御手段１１は、例えば脱衣室２の目標暖房温度を２５℃（第３目標暖房温度に相当）に設定して脱衣室２を暖房し、処理を終了する。浴室内の利用者が実際に入浴した（湯船に浸かった、またはシャワーを利用した）ので、当該利用者の湯上がり時に備えて、充分な温度（第３目標暖房温度）で脱衣室を暖房しておく。なお、この場合は脱衣室に別の利用者が居るが、湯上がりの利用者を優先し、暖房時の送風も行い、脱衣室２内の空気を強制的に循環させて脱衣室２内の温度が均一となるように暖房することが好ましい。
また「場合１４」及び「場合１６」より、脱衣室２の人の有無にかかわらず浴室３に人が居ると検出した場合、且つ浴槽内湯張検出手段７３Ａ（入浴実行検出手段に相当）または浴室内水栓流量検出手段７３Ｂ（シャワー実行検出手段に相当）の少なくとも一方の検出信号に基づいて浴室に居た人が実際に入浴した、あるいは実際にシャワーまたは水栓を利用した、と検出した場合には、第３目標暖房温度（＞第２目標暖房温度）となるように、熱源機１０と暖房手段２０の少なくとも一方を制御して脱衣室２の暖房を行う。
【００４４】
また、ステップＳ４８の判定による（Ｎｏ）の経路が図２中の「場合１７」に相当し、このときの状態については図示を省略する。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。
また「場合１５」及び「場合１７」より、脱衣室２の人の有無にかかわらず浴室３に人が居ると検出した場合、且つ浴槽内湯張検出手段７３Ａ（入浴実行検出手段に相当）と浴室内水栓流量検出手段７３Ｂ（シャワー実行検出手段に相当）の検出信号に基づいて浴室に居た人が実際に入浴しなかった、且つ実際にシャワーまたは水栓を利用しなかった、と検出した場合には、第１目標暖房温度（＜第２目標暖房温度）となるように、熱源機１０と暖房手段２０の少なくとも一方を制御して脱衣室２の暖房を行う。
【００４５】
●［図２中の「場合３」、「場合４」の判定と暖房温度］
ステップＳ５０に進んだ場合（この時点で、「現在の」在室状態（浴室、脱衣室）は（無、有）である）、制御手段１１は、「前回の」在室状態（浴室、脱衣室）が（無、無）である（前回、浴室と脱衣室のどちらにも人が居なかった）か否かを判定する。「前回の」在室状態が（無、無）である場合（Ｙｅｓ）はステップＳ５２に進み、「前回の」在室状態が（無、無）でない場合（Ｎｏ）はステップＳ６０に進む。
ステップＳ５２に進んだ場合、制御手段１１は、湯張りされているか否かを判定する。湯張りされている場合（Ｙｅｓ）はステップＳ９０Ｃに進み、湯張りされていない場合（Ｎｏ）はステップＳ９０Ｂに進む。
【００４６】
なお、ステップＳ５２の判定による（Ｙｅｓ）の経路が図２中の「場合３」に相当し、このときの状態を図９に示す。
そしてステップＳ９０Ｃに進んだ場合、制御手段１１は、例えば脱衣室２の目標暖房温度を２０℃（第２目標暖房温度に相当）に設定して脱衣室２を暖房し、処理を終了する。湯張りしている状態において利用者が脱衣室に入室してきたので、この場合は入浴目的であると推定し、脱衣した利用者が寒くないように、第２目標暖房温度で暖房を行う。
このように「場合３」では、前回の処理時には浴室３と脱衣室２のどちらにも人が居なかった状態から、今回の処理時には浴室３に人が居ない且つ脱衣室２に人が居る状態となったことを検出した場合、且つ浴槽内湯張検出手段７３Ａ（入浴準備検出手段に相当）からの検出信号に基づいて入浴の準備がされている（湯張りされている）と検出した場合には、第２目標暖房温度（＞第１目標暖房温度）となるように、熱源機１０と暖房手段２０の少なくとも一方を制御して脱衣室２の暖房を行う。
【００４７】
また、ステップＳ５２の判定による（Ｎｏ）の経路が図２中の「場合４」に相当し、このときの状態を図６に示す。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。湯張りしていない状態において利用者が脱衣室に入室してきたので、この場合は入浴目的でないと推定し、着衣状態の利用者に対して第１目標暖房温度で暖房を行う。
このように「場合４」では、前回の処理時には浴室３と脱衣室２のどちらにも人が居なかった状態から、今回の処理時には浴室３に人が居ない且つ脱衣室２に人が居る状態となったことを検出した場合、且つ浴槽内湯張検出手段７３Ａ（入浴準備検出手段に相当）からの検出信号に基づいて入浴の準備がされていない（湯張りされていない）と検出した場合には、第１目標暖房温度（＜第２目標暖房温度）となるように、熱源機１０と暖房手段２０の少なくとも一方を制御して脱衣室２の暖房を行う。
【００４８】
●［図２中の「場合５」、「場合６」の判定と暖房温度］
ステップＳ６０に進んだ場合、制御手段１１は、「前回の」在室状態（浴室、脱衣室）が（有、無）である（前回、浴室のみに人が居た）か否かを判定する。「前回の」在室状態が（有、無）である場合（Ｙｅｓ）はステップＳ６２に進み、「前回の」在室状態が（有、無）でない場合（Ｎｏ）はステップＳ７０に進む。
ステップＳ６２に進んだ場合、制御手段１１は、条件３が成立しているか否かを判定する。なお条件３とは、図２中の場合５、場合６に記載しているように、「風呂利用履歴」が有るか否か（履歴フラグがセットされているか否か）である。条件３が成立している場合（履歴フラグ＝１の場合）（Ｙｅｓ）はステップＳ６４に進んで履歴フラグをクリアしてタイマを起動した後でステップＳ９０Ｅに進み、条件３が成立していない場合（履歴フラグ＝０の場合）（Ｎｏ）はステップＳ９０Ｂに進む。
【００４９】
なお、ステップＳ６２の判定による（Ｙｅｓ）の経路が図２中の「場合５」に相当し、このときの状態を図１１に示す。
そしてステップＳ９０Ｅに進んだ場合、制御手段１１は、例えば脱衣室２の目標暖房温度を２５〜３０℃（第４目標暖房温度に相当）に設定して脱衣室２を暖房し、処理を終了する。入浴していた利用者が脱衣室に入室してきたので（湯上がり直後であるので）、体が濡れている利用者が寒くないように、第４目標暖房温度で暖房を行う。また、湯上がり直後であって利用者の体が濡れているので、暖房の際、送風を行わないことが好ましい。
また、ステップＳ６２の判定による（Ｎｏ）の経路が図２中の「場合６」に相当し、このときの状態は図示省略するが、図６と同等である。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。この場合、利用者は入浴していないので、着衣状態の利用者に対して第１目標暖房温度で暖房を行う。
【００５０】
●［図２中の「場合７」、場合８］の判定と暖房温度］
ステップＳ７０に進んだ場合、制御手段１１は、「前回の」在室状態（浴室、脱衣室）が（有、有）である（前回、浴室と脱衣室の双方に人が居た）か否かを判定する。「前回の」在室状態が（有、有）である場合（Ｙｅｓ）はステップＳ７２に進み、「前回の」在室状態が（有、有）でない場合（Ｎｏ）はステップＳ８０に進む。
ステップＳ７２に進んだ場合、制御手段１１は、条件４が成立しているか否かを判定する。なお条件４とは、図２中の場合７、場合８に記載しているように、「風呂利用履歴」が有るか否か（履歴フラグがセットされているか否か）である。条件４が成立している場合（履歴フラグ＝１の場合）（Ｙｅｓ）はステップＳ７４に進んで履歴フラグをクリアしてタイマを起動した後でステップＳ９０Ｅに進み、条件４が成立していない場合（履歴フラグ＝０の場合）（Ｎｏ）はステップＳ９０Ｂに進む。
【００５１】
なお、ステップＳ７２の判定による（Ｙｅｓ）の経路が図２中の「場合７」に相当し、このときの状態を図１５に示す。
そしてステップＳ９０Ｅに進んだ場合、制御手段１１は、例えば脱衣室２の目標暖房温度を２５〜３０℃（第４目標暖房温度に相当）に設定して脱衣室２を暖房し、処理を終了する。入浴していた利用者が脱衣室に入室してきたので（湯上がり直後であるので）、体が濡れている利用者が寒くないように、湯上がり直後の利用者への暖房を優先し、第４目標暖房温度で暖房を行う。また、湯上がり直後であって利用者の体が濡れているので、暖房の際、送風を行わないことが好ましい。
また「場合５」及び「場合７」より、前回の処理時には脱衣室２の人の有無にかかわらず浴室３に人が居た状態から、今回の処理時には浴室３に人が居ない且つ脱衣室２に人が居ると検出した場合、且つ浴槽内湯張検出手段７３Ａ（入浴実行検出手段に相当）または浴室内水栓流量検出手段７３Ｂ（シャワー実行検出手段に相当）の少なくとも一方の検出信号に基づいて浴室に居た人が実際に入浴した、あるいは実際にシャワーまたは水栓を利用した、と検出した場合には、第４目標暖房温度（＞第３目標暖房温度）となるように、熱源機１０と暖房手段２０の少なくとも一方を制御して脱衣室２の暖房を行う。
【００５２】
また、ステップＳ７２の判定による（Ｎｏ）の経路が図２中の「場合８」に相当し、このときの状態は図示省略するが、図６と同等である。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。この場合、利用者は入浴していないので、着衣状態の利用者に対して第１目標暖房温度で暖房を行う。
また「場合６」及び「場合８」より、前回の処理時には脱衣室２の人の有無にかかわらず浴室３に人が居た状態から、今回の処理時には浴室３に人が居ない且つ脱衣室２に人が居ると検出した場合、且つ浴槽内湯張検出手段７３Ａ（入浴実行検出手段に相当）と浴室内水栓流量検出手段７３Ｂ（シャワー実行検出手段に相当）の検出信号に基づいて浴室に居た人が実際に入浴しなかった、且つ実際にシャワーも水栓も利用しなかった、と検出した場合には、第１目標暖房温度（＜第４目標暖房温度）となるように、熱源機１０と暖房手段２０の少なくとも一方を制御して脱衣室２の暖房を行う。
【００５３】
●［図２中の「場合９」〜「場合１３」の判定と暖房温度］
ステップＳ８０に進んだ場合（この時点で、「前回の」在室状態（浴室、脱衣室）は（無、有）である）、制御手段１１は、タイマが起動中であるか否かを判定する。タイマが起動中（ステップＳ６４またはステップＳ７４にて起動された場合）である場合（Ｙｅｓ）はステップＳ８４に進み、タイマが起動中でない場合（Ｎｏ）はステップＳ８２に進む。
ステップＳ８２に進んだ場合、制御手段１１は、湯張りされているか否かを判定する。湯張りされている場合（Ｙｅｓ）はステップＳ９０Ｃに進み、湯張りされていない場合（Ｎｏ）はステップＳ９０Ｂに進む。
【００５４】
なお、ステップＳ８２の判定による（Ｙｅｓ）の経路が図２中の「場合１２」に相当し、このときの状態は図示省略するが、図９と同等である。
そしてステップＳ９０Ｃにて制御手段１１は、例えば脱衣室２の目標暖房温度を２０℃（第２目標暖房温度に相当）に設定して脱衣室２を暖房し、処理を終了する。この場合、湯張りされている状態において利用者が脱衣室に入室し、脱衣室に留まって脱衣中であるので、脱衣した利用者が寒くないように、第２目標暖房温度で暖房を行う。
また、ステップＳ８２の判定による（Ｎｏ）の経路が図２中の「場合１３」に相当し、このときの状態は図示省略するが、図６と同等である。
そしてステップＳ９０Ｂにて制御手段１１は、例えば脱衣室２の目標暖房温度を１７℃（第１目標暖房温度に相当）に設定して脱衣室２を暖房し、処理を終了する。この場合、利用者は入浴目的でないと推定されるで、着衣状態の利用者に対して第１目標暖房温度で暖房を行う。
【００５５】
ステップＳ８４に進んだ場合、制御手段１１は、起動しているタイマの計測時間（湯上がり直後からの経過時間）が５分（第１所定時間に相当）未満であるか否かを判定する。タイマの計測時間が５分未満である場合（Ｙｅｓ）はステップＳ８８Ａに進んでタイマのカウントを継続してステップＳ９０Ｅに進み、タイマの計測時間が５分以上の場合（Ｎｏ）はステップＳ８６に進む。
なお、ステップＳ８４の判定による（Ｙｅｓ）の経路が図２中の「場合９」に相当し、このときの状態は図１１に示すとおりである。
そしてステップＳ９０Ｅに進んだ場合、制御手段１１は、例えば脱衣室２の目標暖房温度を２５〜３０℃（第４目標暖房温度に相当）に設定して脱衣室２を暖房し、処理を終了する。入浴していた利用者が脱衣室に入室してから５分未満（第１所定時間未満）であるので、まだ体が濡れている可能性がある利用者が寒くないように、第４目標暖房温度で暖房を行う。また、利用者の体が濡れている可能性があるので、暖房の際、送風を行わないことが好ましい。
このように「場合９」では、「場合５」または「場合７」にて第４目標暖房温度にて暖房を開始した後、第１所定時間に達するまでの間は、第４目標暖房温度となるように（維持するように）、熱源機１０と暖房手段２０の少なくとも一方を制御して脱衣室２の暖房を行う。
【００５６】
ステップＳ８６に進んだ場合、制御手段１１は起動しているタイマの計測時間が１０分（第２所定時間に相当）未満であるか否かを判定する。タイマの計測時間が１０分未満である場合（Ｙｅｓ）はステップＳ８８Ｂに進んでタイマのカウントを継続してステップＳ９０Ｃに進み、タイマの計測時間が１０分以上の場合（Ｎｏ）はステップＳ８８Ｃに進んでタイマのカウントを継続してステップＳ９０Ｂに進む。
なお、ステップＳ８６の判定による（Ｙｅｓ）の経路が図２中の「場合１０」に相当し、このときの状態は図１２に示すとおりである。
そしてステップＳ９０Ｃに進んだ場合、制御手段１１は、例えば脱衣室２の目標暖房温度を２０℃（第２目標暖房温度に相当）に設定して脱衣室２を暖房し、処理を終了する。入浴していた利用者が脱衣室に入室してからの経過時間が５分〜１０分であるので、すでに体を拭き終わって着衣中であると推定される利用者が寒くないように、第２目標暖房温度で暖房を行う。
このように「場合１０」では、「場合９」の後（すなわち、第１所定時間が経過した後）、第２所定時間に達するまでの間は、第２目標暖房温度となるように、熱源機１０と暖房手段２０の少なくとも一方を制御して脱衣室２の暖房を行う。
【００５７】
また、ステップＳ８６の判定による（Ｎｏ）の経路が図２中の「場合１１」に相当し、このときの状態は図１３に示すとおりである。
そしてステップＳ９０Ｂに進んだ場合、制御手段１１は、例えば脱衣室２の目標暖房温度を１７℃（第１目標暖房温度に相当）に設定して脱衣室２を暖房し、処理を終了する。入浴していた利用者が脱衣室に入室してからの経過時間が１０分以上であるので、すでに着衣が終わっていると推定される利用者が寒くないように、第１目標暖房温度で暖房を行う。
このように「場合１１」では、「場合１０」の後（すなわち、第２所定時間が経過した後）、第１目標暖房温度となるように、熱源機１０と暖房手段２０の少なくとも一方を制御して脱衣室２の暖房を行う。
【００５８】
本発明の暖房システムは、本実施の形態で説明した構成、動作、処理手順等に限定されず、本発明の要旨を変更しない範囲で種々の変更、追加、削除が可能である。
また暖房手段２０は、温水を循環させる方式のものに限定されず、電気、ガス、灯油等を用いた暖房手段であってもよく、暖房手段の種類は限定されない。
また水栓４０は、混合水栓であっても、２バルブ式の水栓であってもよく、水栓の種類は限定されない。
また、以上（≧）、以下（≦）、より大きい（＞）、未満（＜）等は、等号を含んでも含まなくてもよい。
また、本実施の形態の説明に用いた数値は一例であり、この数値に限定されるものではない。
【符号の説明】
【００５９】
１      暖房システム
２      隣接室（脱衣室）
２Ｄ、３Ｄ    扉
３      浴室
１０    熱源機
１１    制御手段
２０    暖房手段
３０    浴槽
４０    水栓
５０    シャワー
６０    浴室暖房乾燥機
７１Ａ、７１Ｂ    人体所在検出手段（人感センサ）
７２Ａ    隣接室内温度検出手段
７２Ｂ    外気温度検出手段
７３Ａ    浴槽内湯張検出手段（入浴準備検出手段、及び入浴実行検出手段）
７３Ｂ    浴室内水栓流量検出手段（シャワー実行検出手段）
【図１】
2015098952.tif 000003
【図２】
2015098952.tif 000004
【図３】
2015098952.tif 000005
【図４】
2015098952.tif 000006
【図５】
2015098952.tif 000007
【図６】
2015098952.tif 000008
【図７】
2015098952.tif 000009
【図８】
2015098952.tif 000010
【図９】
2015098952.tif 000011
【図１０】
2015098952.tif 000012
【図１１】
2015098952.tif 000013
【図１２】
2015098952.tif 000014
【図１３】
2015098952.tif 000015
【図１４】
2015098952.tif 000016
【図１５】
2015098952.tif 000017